(57)【要約】【課題】彩のある図柄，模様入りの消しゴムを成形可能な消しゴム成形玩具の提供を図る。【解決手段】熱融着性を有する複数個の色違いの消しゴム部材１を用いて、これを所望の図柄，模様等になるように順次型枠容器２内に収容し、型枠容器２ごと加熱器で加熱することにより、消しゴム部材１の表面相互が融着して容器の型枠形状で色彩のある図柄，模様入りの消しゴムＰが成形される。【選択図】図１
2010131819.tif 000002
【特許請求の範囲】
【請求項１】
加熱により相互に融着可能な着色合成樹脂からなる複数の消しゴム部材と、
前記複数の消しゴム部材を接触状態で収容する型枠容器と、を備え、
前記型枠容器に、複数の色違いの消しゴム部材を収容してそれらの端面で所要の図柄，模様等を形成し、前記型枠容器ごと加熱することにより、前記消しゴム部材の表面相互を融着させた消しゴムが成形可能であることを特徴とする消しゴム成形玩具。
【請求項２】
前記消しゴム部材相互間に水を含浸させた状態でこの水を加熱することにより、前記消しゴム部材の表面相互を融着させることを特徴とする請求項１に記載の消しゴム成形玩具。
【請求項３】
前記型枠容器が、前記消しゴム部材を収容する上側が開放した所要形状の型枠部を有する容器本体と、
前記容器本体に回動可能に連結されて前記型枠部の上側開放部を閉止可能な蓋部材と、を備え、
前記型枠容器が耐熱性を有して、加熱器により該型枠容器ごと前記水を加熱することを特徴とする請求項２に記載の消しゴム成形玩具。
【請求項４】
前記容器本体と蓋部材の外側面には、複数の放熱フィンが設けられていることを特徴とする請求項３に記載の消しゴム成形玩具。
【請求項５】
前記放熱フィンが格子状に形成されていることを特徴とする請求項４に記載の消しゴム成形玩具。
【請求項６】
前記容器本体は、前記蓋部材を連結した側と反対側の部位に回動可能に連結されて、該蓋部材の自由端部に係脱可能な係止具を備え、該係止具は容器本体の下方側に回動することにより、該容器本体を所要の角度に傾斜して定置する脚立を構成可能であることを特徴とする請求項３〜５の何れか１つに記載の消しゴム成形玩具。
【請求項７】
前記型枠部は、その半周部が容器本体に対して着脱可能な可動枠で構成されていることを特徴とする請求項３〜６の何れか１つに記載の消しゴム成形玩具。
【請求項８】
前記型枠部の周壁基部にはスリットが設けられ、このスリットより所要の図柄，模様等を印刷したデザインシートが前記型枠部内の底面上に挿脱可能とされ、該デザインシートの図柄，模様等が前記消しゴム部材の断面形状が連鎖して描かれた枡目に所要の彩色を施して描かれ、これらの枡目を目安にその色彩に倣って前記色違いの消しゴム部材が収容されることを特徴とする請求項３〜７の何れか１つに記載の消しゴム成形玩具。
【請求項９】
前記型枠部は、その周壁内面に沿って挿脱可能なスペーサにより、型枠サイズが可変とされていることを特徴とする請求項３〜８の何れか１つに記載の消しゴム成形玩具。
【請求項１０】
前記消しゴム部材は、同一色の消しゴム部材の複数個が切離可能な薄肉部を境にして連設され、該薄肉部から１個づつ切り離して用いられることを特徴とする請求項１〜９の何れか１つに記載の消しゴム成形玩具。
【請求項１１】
前記複数個の消しゴム部材の収容部分の所要部位が、該消しゴム部材と非融着性の材料からなる中子で形成されることを特徴とする請求項１〜１０の何れか１つに記載の消しゴム成形玩具。
【発明の詳細な説明】
【技術分野】
【０００１】
本発明は、消しゴム成形玩具、とりわけ、適宜の色彩のある図柄，模様入りの消しゴムの成形玩具に関する。
【背景技術】
【０００２】
従来、消しゴム作成玩具として、例えば特許文献１に示されているように、加熱により硬化する粘土を用いて、該粘土を所要の成形型で立体形状に成形し、この粘土成形体を容器に適量の水と共に収容し、これを電子レンジで加熱することにより前記粘土成形体を硬化させて立体形状の消しゴムを作成するようにしたものが知られている。
【特許文献１】実用新案登録第３１４２４９８号
【発明の開示】
【発明が解決しようとする課題】
【０００３】
年少の児童等には、色彩のある適宜の図柄，模様入りの消しゴムが要望されるが、前記従来の消しゴム作成玩具ではこのような図柄，模様入りの消しゴムを得ることはできない。
【０００４】
また、消しゴムの作成に際しては、粘土の練り込み，成形型による粘土の型成形，粘土成形体の水入り容器内への含浸，および電子レンジによる加熱処理というように作成工程が多岐に亘るため、年少の児童等が安易に消しゴムを作成することは難しい。
【０００５】
そこで、本発明は年少の児童等でも簡単に色彩のある図柄，模様入りの消しゴムを成形することができる消しゴム成形玩具を提供するものである。
【課題を解決するための手段】
【０００６】
本発明の消しゴム成形玩具にあっては、加熱により相互に融着可能な着色合成樹脂からなる複数の消しゴム部材と、前記消しゴム部材を接触状態で収容する型枠容器と、を備え、前記型枠容器に、複数の色違いの消しゴム部材を収容してそれらの端面で所要の図柄，模様等を形成し、前記型枠容器ごと加熱することにより、前記消しゴム部材の表面相互を融着させた消しゴムが成形可能であることを主要な特徴としている。
【０００７】
前記消しゴム部材は、１個づつ例えばピンセット等で摘んで型枠容器の内面に沿って整然と接触状態で収容する。このとき、色違いの消しゴム部材を用いてこれを所望の図柄，模様等に順次型枠容器内に詰め込んで該型枠容器内を収容させる。これにより、前記消しゴム部材の端面で形成される所要面積の消しゴム部材収容平面に色彩のある所望の図柄，模様等が形成される。そこで、この消しゴム部材収容平面に適量の水を、例えばスポイトで垂らすことにより消しゴム部材相互間に適量の水が含浸される。この水を所要温度に加熱することにより、消しゴム部材の表面相互が融着して、容器の型枠形状で色彩のある図柄，模様入りの消しゴムが成形される。
【発明の効果】
【０００８】
本発明によれば、熱融着性の着色合成樹脂からなる複数の消しゴム部材を、型枠容器に所望の図柄，模様等になるように接触状態で収容し、型枠容器ごと加熱して、消しゴム部材の表面相互を融着させることにより、所定の型枠形状で色彩のある図柄，模様入りの消しゴムを成形することができる。
【０００９】
このように、消しゴムの成形は、複数の消しゴム部材を型枠容器に１個づつ接触状態で収容する詰め込み作業と、加熱処理で完了し、特別に難度の高い技工を必要としないので、年少の児童等でも容易に前記図柄，模様入りの消しゴムを成形することができる。
【００１０】
しかも、色違いの消しゴム部材を型枠容器に接触状態で収容して行く過程で、所望の図柄，模様等が次第に完成されるので、年少の児童等の図柄，模様等の創作意欲を掻き立てて、児童等を魅了することができる。
【発明を実施するための最良の形態】
【００１１】
以下、本発明の実施形態を図面と共に詳述する。
【００１２】
図１は本発明に係る消しゴム成形玩具のセットの一例を示す斜視図、図２はデザインシートとスペーサのセットを、（Ａ）にデザインシートを平面図として、（Ｂ）にスペーサの背面を斜視図として、（Ｃ）にスペーサの正面を斜視図として示す説明図、図３はデザインシートとスペーサの異なるセットを、（Ａ）にデザインシートを平面図として、（Ｂ）にスペーサの背面を斜視図として、（Ｃ）にスペーサの正面を斜視図として示す説明図である。図４は型枠容器を（Ａ）に側面図として、（Ｂ）に斜視図として示す説明図、図５は型枠容器の展開斜視図、図６は図５に示した型枠容器を下側から見た平面図である。図７〜図１０は消しゴム成形玩具の使用例を示すのもので、図７はデザインシートのセット途上を示す断面図、図８は消しゴム部材の収容途上を示す斜視図、図９は消しゴム部材相互間への水分供給途上を示す斜視図、図１０は消しゴム成形品の型抜き状態を示す斜視図である。
【００１３】
本実施形態の消しゴム成形玩具は、図１に示すように、複数の同一形状の消しゴム部材１と、型枠容器２と、デザインシート３と、スペーサ４と、ピンセット５等がセットとして揃えられる。
【００１４】
前記消しゴム部材１は、加熱により相互に融着可能な着色合成樹脂をもって予め所定の断面形状に形成されている。この消しゴム部材１は、最終成形品の消しゴムＰの厚み相当の長さで適宜の同一断面サイズ（スティック状）として同一形状に構成され、例えば数ｍｍ角の小サイズの方形断面に形成されている。これにより例えば球状の消しゴム部材同士の点接触による融着と比較して、より広範囲での面接触による融着が可能となり、より強固に固定されることになる。
【００１５】
また、前記消しゴム部材１は、単一に成形してもよいが、本実施形態にあっては同一色の消しゴム部材１の複数が、相互の断面角部で切離可能な薄肉部１ａを境にして所要長さの短冊状に連設された連設片１１として色別毎に構成され、前記薄肉部１ａから１個づつ切り離して用いるようにされている。
【００１６】
前記消しゴム部材１は、後述する加熱器（例えば電子レンジ）による加熱で、密接した表面相互が融着可能な材料であればよく、例えば、スチレン・ブタジエン系エラストマー６５〜７０％、オレフィン３０〜３５％、その他、炭酸カルシウム，植物油，鉱物油，非金属交連剤，抗化剤各１％程度の配合からなる合成樹脂を用いることができる。
【００１７】
前記型枠容器２は、前記消しゴム部材１を接触状態で収容するもので、加熱器の加熱に耐える耐熱性の合成樹脂、例えば、ポリアミド樹脂，ポリイミド樹脂，ＡＢＳ樹脂，フッ素樹脂等の合成樹脂で構成されている。
【００１８】
この型枠容器２は、図４〜図７に示すように前記消しゴム部材１を縦置きに収容する上側が開放した所要形状の型枠部２２を有する容器本体２１と、該容器本体２１の周側部にヒンジ機構２４を介して回動可能に連結されて、前記型枠部２２の上側開放部を閉止可能な蓋部材２３とで構成されている。
【００１９】
本実施形態では、前記型枠部２２を方形に形成して、その方形の角部の１つが前記ヒンジ機構２４を配設した側に配置された形状とされている。
【００２０】
また、前記容器本体２１は、円形の底板２１ａ上に前記型枠部２２を所定高の周壁に形成すると共に、該型枠部２２の上側開口縁に前記底板２１ａと同心の円板上にフランジ２２ａを形成して、全体として略円形に形成されている。
【００２１】
一方、蓋部材２３は前記型枠部２２のフランジ２２ａ上に重合する該フランジ２２ａと略同一径の円板上に形成されている。
【００２２】
前記型枠部２２の上側開口縁は斜状に面取り成形されている一方、前記蓋部材２３の前記型枠部２２に対応する中央部分には、周縁が前記上側開口縁の面取り成形部分２２ｂに嵌合する僅かに突出した段部２３ａが形成されていて、この段部２３ａが型枠部２２の上側開口縁に進入することにより、型枠部２２内を封止可能とされている。
【００２３】
また、この型枠部２２は、その半周部が前記容器本体２１に対して着脱可能な可動枠２２Ａで構成されている。本実施形態では前記型枠部２２の前記ヒンジ機構２４を隣設した側と反対側の半部が、一対角線上で前記フランジ２２ａと共に分割して別体成形された可動枠２２Ａとされ、容器本体２１の底板２１ａと一体成形されて前記ヒンジ機構２４を隣設した側の半部が固定枠２２Ｂとされている。
【００２４】
前記可動枠２２Ａと固定枠２２Ｂとの分割部分の両端部には、容器本体２１の周側部に突設された突起２５ａと、可動枠２２Ａの周側部に形成されて前記突起２５ａに対して容器本体２１の底板２１ａの面直方向と面方向とに係脱可能な溝部２５ｂとからなる位置決め部２５が構成されている。
【００２５】
また、前記可動枠２２Ａの底部外縁は、前記容器本体２１の底板２１ａ面に摺接する略半円状の平板面として形成されている。
【００２６】
一方、前記ヒンジ機構２４は、前記容器本体２１の周側部に突設した一対のブラケット２４ａと、前記蓋部材２３の周側部に突設したアーム２４ｂとからなり、このアーム２４ｂの外側面に突設したヒンジピン２４ｃを介して該アーム２４ｂを前記ブラケット２４ａに回動可能に連結して構成されている。
【００２７】
また、このヒンジ機構２４のヒンジ点は、前記型枠部２２のフランジ２２ａ面の略延長上に設定されていて、蓋部材２３を閉じた際に該フランジ２２ａ面上に平行に当接し得るようにされている。
【００２８】
前述のように本実施形態では前記型枠部２２の半周部を可動枠２２Ａとして構成しているため、前記蓋部材２３を閉じた際に可動枠２２Ａの離脱方向の遊動を拘束する可動枠固定機構２６が設けられている。この可動枠固定機構２６は、例えば、前記可動枠２２Ａのフランジ２２ａに設けた一対の係止溝２６ｂと、蓋部材２３の自由端部側の内面に突設されて、該蓋部材２３を閉じた際に前記係止溝２６ｂに嵌入する一対の係止突起２６ａとで構成することができる。
【００２９】
前記容器本体２１の前記ヒンジ機構２４を配設した側（蓋部材２３を連結した側）と反対側の部位には、前記蓋部材２３の自由端部に延設した舌片２３ｂに係脱可能な蓋ロック用の係止具２７を備えている。
【００３０】
この係止具２７は、一対のアーム部２７ａの外側面に突設したヒンジピン２７ｂを、容器本体２１の周側部に突設した一対のブラケット２７ｃに回動可能に連結して構成され、その自由端部には蓋部材２３の自由端部に延設した舌片２３ｂに係脱するフック部２７ｄを備えている。
【００３１】
また、この係止具２７は、図７に示すように容器本体２１の下方側に向けて該容器本体２１の周側部で回動規制される略９０度に回動することにより、該容器本体２１を所要の角度に傾斜して定置する脚立を構成し得るようにされている。
【００３２】
そして、前記容器本体２１と蓋部材２３の外側面には、複数の放熱フィン２８が設けられている。本実施形態では、前記容器本体２１にあってはその下面と周側部、即ち、前記底板２１ａの下面、および底板２１ａと前記型枠部２２のフランジ２２ａとの間に、前記放熱フィン２８が細かな格子状に形成されている。また、蓋部材２３にあっては、その上面に前記放熱フィン２８が同様に細かな格子状に形成されており、この蓋部材２３の放熱フィン２８は全体として弧状凸面に形成されて、蓋部材２３を閉じた型枠容器２の全体形状が円形ドーム状の外観を呈するように構成されている。
【００３３】
前記消しゴム部材１は、連設片１１から１個づつ切り離して前記型枠容器２の型枠部２２に縦置きに収容して、所望の図柄，模様等を描くのであるが、図２，図３に示すように所要の図柄，模様等を印刷したデザインシート３を用いて、年少の児童等でもこのデザインシート３の図柄，模様等に倣って容易に同様の図柄，模様等を作成し得るようにしている。
【００３４】
このデザインシート３の図柄，模様等は、前記消しゴム部材１の断面形状が連鎖して描かれた枡目３１に所要の彩色を施して描かれ、このデザインシート３を前記型枠部２２の底面上に定置して、前記枡目３１を目安にその桝目の色彩に倣って色違いの消しゴム部材１を収容するようにしている。
【００３５】
前記デザインシート３を型枠部２２の底面上に定置するため、該型枠部２２の周壁基部には図７に示すようにスリット２９が設けられ、このスリット２９より前記デザインシート３を型枠部２２の底面上に挿脱可能とされている。
【００３６】
本実施形態では、前記型枠部２２の可動枠２２Ａの底面と底板２１ａとの間に前記スリット２９を構成しており、該可動枠２２Ａの位置決め部２５の突起２５ａと溝部２５ｂとの上下方向の係合高さ位置を調整することによって、該スリット２９をデザインシート３の厚みよりも僅かに大きな間隙として形成されている。また、スリット２９の両側部に位置する前記位置決め部２５の一対の突起２５ａ，２５ａを挿入ガイドとして、前記デザインシート３を型枠部２２の底面上に挿脱するようにしている。
【００３７】
従って、前記デザインシート３は、前記一対の突起２５ａ，２５ａ間の幅寸法に対応したシート幅で短冊状に形成され、差し込み側端部３ａは固定枠２２Ｂの周壁内面形状に対応した三角形状に形成されて、この三角形状の差し込み側端部３ａの片面もしくは両面に前述の図柄，模様等が印刷される。
【００３８】
一方、前記型枠部２２は、その周壁内面に沿って挿脱可能なスペーサ４により型枠サイズが可変とされ、例えば、本実施形態ではスペーサ４を前記固定枠２２Ｂの周壁内面に沿うＬ字形に形成して、該スペーサ４を固定枠２２Ｂの周壁内面に沿って挿脱するようにされている。
【００３９】
このように、スペーサ４によって型枠部２２の型枠サイズを可変としているため、図２，図３に示すように前記デザインシート３は、その差し込み側端部３ａ上の図柄，模様等の印刷サイズが大小異なる複数種類が揃えられる。
【００４０】
また、このデザインシート３は、型枠部２２の底面上への定置に際しては、可動枠２２Ａを固定枠２２Ｂに突き合わせてセットした状態で前記スリット２９から挿入するか、該可動枠２２Ａを外した状態でデザインシート３を、その差し込み側端部３ａを固定枠２２Ｂの周壁内面に整合させて底板２１ａ上に定置して、その上から可動枠２２Ａを固定枠２２Ｂに突き合わせてセットするかの、何れの手段を用いてもよい。何れの場合でも、消しゴム部材１の詰め込み途中で該デザインシート３がスリット２９から抜け方向にずれ動くのを防止するため、前記可動枠２２Ａの底面外周縁には、前記係止具２７が連結された一対のブラケット２７ｃ，２７ｃ間に突出して配置されて、図７に示すように下面にデザインシート３面に軽く圧接する小突子２２ｄを有するシート押え片２２ｃが形成されている。
【００４１】
次に、以上の玩具セットを用いて色彩のある図柄，模様入りの消しゴムを成形する手順を以下に詳述する。
【００４２】
先ず、図７に示すように型枠容器２の蓋部材２３を開き、係止具２７を容器本体２１の下方側に向けて規制位置まで略９０度に回動する。
【００４３】
これにより、容器本体２１を前記係止具２７を脚立として、テーブル，机上等に所定の角度に傾斜した状態で定置することができる。
【００４４】
次いで、型枠部２２の可動枠２２Ａを外し、もしくはそのままの状態でスリット２９から所望のデザインシート３を該型枠部２２の底面上に定置する（図７参照）。
【００４５】
そして、連結片１１から消しゴム部材１を１個づつ切り離して、図８に示すようにピンセット５により摘んで型枠部２２に縦置きに収容する。このとき、容器本体２１は固定枠２２Ｂの隅角部を下側にして所定角度に傾斜して定置されているので、この隅角部を詰め込み開始点として消しゴム部材１を前記デザインシート３の枡目を目安にその桝目の色彩に倣って色違いのものを選択して順次縦置きに詰め込んで、該型枠部２２内に収容させる。
【００４６】
これにより、前記消しゴム部材１の端面で、デザインシート３に印刷されたものと同一の図柄，模様等が形成されるから、前記スリット２９からデザインシート３を型枠部２２外に抜き取る。
【００４７】
そして、この複数個の消しゴム部材１の収容平面に図９に示すように図外のスポイトで適量の水を垂らし、あるいは霧吹きにより前記収容平面を濡らして消しゴム部材１の相互間に適量の水を含浸させる。
【００４８】
次いで、蓋部材２３を閉じて係止具２７により容器本体２１に固定して、前記型枠部２２の上側開放部を封止状態にし、この型枠容器２を図外の加熱器に入れて加熱する。なお、蓋部材２３を閉じることにより前記収容平面に垂らした水が押圧され消しゴム部材１同士の接触面に浸透する。
【００４９】
この加熱器での加熱は、例えば、７３０Ｗ・４０秒、もしくは５００Ｗ・６０秒で行われ、これにより前記消しゴム部材１の表面相互に存在した水分子の熱誘導で、これら消しゴム部材１の表面相互の加熱が促進されて、該消しゴム部材１の表面相互が融着する。
【００５０】
そこで、この加熱終了後、型枠容器２を加熱器から取り出して自然冷却した後、図１０に示すように前記蓋部材２３を開いて型抜きすれば、両面に所望の色彩のある図柄，模様入りのブロック状の消しゴム成形品Ｐが完成される。
【００５１】
この消しゴム成形品Ｐの型抜きは、前記可動枠２２Ａを外すことによって簡単に行うことができる。
【００５２】
ここで、前記消しゴムの成形に際して、消しゴム部材１の収容部分の所要部位を、該消しゴム部材１と非融着性の材料、例えばガラス，金属等からなる中子Ｓで形成すれば、前記加熱，型抜き後、該中子Ｓを抜き取ることにより、所要部分に貫通孔Ｓ´のある図柄，模様入りの消しゴム成形品Ｐ´が完成される。
【００５３】
以上のように本実施形態の消しゴム成形玩具によれば、熱融着性の着色合成樹脂からなる複数個の同一形状の消しゴム部材１を、型枠容器２に所望の図柄，模様等に色違いに収容し、適量の水を消しゴム部材１の相互間に含浸させた状態でこの水を所要温度に加熱して、消しゴム部材１の表面相互を融着させることにより、所定の型枠形状でブロック状に色彩のある図柄，模様入りの消しゴムＰを成形することができる。  このように、消しゴムＰの成形は、複数個の消しゴム部材１を型枠容器２に１個づつ接触状態で収容する詰め込み作業と、これら消しゴム部材１の相互間に適量の水を含浸させた状態での加熱処理で完了し、特別に難度の高い技工を必要としないので、年少の児童等でも容易に前記図柄，模様入りの消しゴムＰを成形することができる。
【００５４】
しかも、色違いの消しゴム部材１を型枠容器２に接触状態で収容して行く過程で、所望の図柄，模様等が次第に完成されるので、年少の児童等の図柄，模様等の創作意欲を掻き立てて、児童等を魅了することができる。
【００５５】
ここで、特に本実施形態にあっては、前記型枠容器２は耐熱性を有し、消しゴム部材１の複数個を縦置きに収容する上側が開放した型枠部２２を有する容器本体２１と、該容器本体２１に回動可能に連結されて前記型枠部２２の上側開放部を閉止可能な蓋部材２３と、を備えていて、前記型枠部２２内に消しゴム部材１を順次縦置きに収容し、その収容平面を水で濡らして蓋部材２３を閉じて、この型枠容器２ごと加熱器で加熱することができるので、年少の児童等でも容易に前記消しゴム部材１の収容作業および加熱処理を行うことができる。
【００５６】
また、前記容器本体２１と蓋部材２３の外側面には複数本の放熱フィン２８が設けられているので、型枠容器２の放熱効果が高く、該型枠容器２および成形品の冷却時間を短くして成形サイクルを短縮化でき、徒らに成形時間が長引くのを回避することができる。
【００５７】
しかも、この放熱フィン２８は格子状に形成されていて、児童等が手で型枠容器２を掴んだ場合に指の接触面積が可及的に小さくなるようにされているので、加熱終了後に、該型枠容器２を加熱器から取り出す際に火傷する危険をなくすことができる。
【００５８】
また、前記蓋部材２３を閉じてこれを容器本体２１に固定する蓋ロック用の係止具２７は、前記容器本体２１の下方側に回動すれば容器本体２１を所要の角度に傾斜して定置する脚立として機能するので、該容器本体２１を斜めに傾けて立て掛けた状態で消しゴム部材１を縦置きに詰め込み収容することにより、該消しゴム部材１が倒れ崩れることがなく、この詰め込み作業を容易に行えることができる。
【００５９】
また、前記容器本体２１の型枠部２２は、その半周部が容器本体２１に対して着脱可能な可動枠２２Ａで構成されているので、成形された消しゴムＰの型抜き時には、該可動枠２２Ａを外すことで容易に型抜きを行える利点がある。
【００６０】
更に、前記型枠部２２の周壁基部のスリット２９から該型枠部２２内の底面上に挿脱されるデザインシート３は、その印刷された所要の図柄，模様等が前記消しゴム部材１の断面形状が連鎖して描かれた枡目３１に所要の彩色を施して描かれているので、このデザインシート３を用いて前記枡目３１を目安に該枡目３１の色彩に倣って色違いの消しゴム部材１を縦置きに収容すれば、該消しゴム部材１でデザインシート３と同様の色彩の図柄，模様等を容易に作成することができる。
【００６１】
また、前記型枠部２２は、その周壁内面に沿って挿脱可能なスペーサ４によって型枠サイズが可変とされているので、このスペーサ４を用いて各種サイズの異なる消しゴムＰを任意に得ることができる。
【００６２】
一方、前記消しゴム部材１は、同一色の消しゴム部材１の複数個が切離可能な薄肉部１ａを境にして短冊状に連設され、該薄肉部１ａから１個づつ切り離して用いられる連設片１１として構成されているため、複数個の消しゴム部材１をコンパクトにまとめて整理することができ、玩具セットのパッケージングはもとより、玩具使用後の収納整理を容易に行うことができる。
【００６３】
また、前記型枠容器２内への消しゴム部材１の収容時に、収容部分の所要部位を消しゴム部材１と非融着性の材料からなる中子Ｓで形成し、成形終了後に該中子Ｓを抜き取れば、所要部分に貫通孔Ｓ´のある図柄，模様入りの消しゴム成形品Ｐ´が完成するから、例えば、人気アニメにおけるキャラクターの顔の目，口，鼻等に相当する部分を該中子Ｓで孔空き構成とすることができて、児童等の興趣をそそることができる。
【００６４】
なお、前記実施形態では型枠部２２を方形とした例を示したが、この型枠形状は多角形に限らず、任意の形状に設定することが可能である。
【００６５】
また、適量の水を消しゴム部材１の相互間に含浸させたが、所定温度での加熱により相互に融着可能な材料（水分が含有されている材料）で消しゴム部材が構成される場合は、水を含浸させる必要はない。
【００６６】
ここで、複数個の消しゴム部材１は断面サイズ，長さを同一サイズとした同一形状のものを型枠部２２内に収容する場合を例示したが、場合によって部分的に異なる断面サイズ、異なる長さのものを収容するようにすることもできる。異なる長さの消しゴム部材を収容することで凹凸のある消しゴムＰを得ることができる。
【００６７】
更に、消しゴム部材１は前記方形断面形状に限らず、型枠部２２内に収容した際に表面相互が接触可能な断面形状であればよい。
【図面の簡単な説明】
【００６８】
【図１】本発明に係る消しゴム成形玩具のセットの一例を示す斜視図。
【図２】デザインシートとスペーサのセットを、（Ａ）にデザインシートを平面図として、（Ｂ）にスペーサの背面を斜視図として、（Ｃ）にスペーサの正面を斜視図として示す説明図。
【図３】デザインシートとスペーサの異なるセットを、（Ａ）にデザインシートを平面図として、（Ｂ）にスペーサの背面を斜視図として、（Ｃ）にスペーサの正面を斜視図として示す説明図。
【図４】型枠容器を（Ａ）に側面図として、（Ｂ）に斜視図として示す説明図。
【図５】型枠容器の展開斜視図。
【図６】図５に示した型枠容器を下側から見た平面図。
【図７】デザインシートのセット途上を示す断面図。
【図８】消しゴム部材の収容途上を示す斜視図。
【図９】消しゴム部材相互間への水分供給途上を示す斜視図。
【図１０】消しゴム成形品の型抜き状態を示す斜視図。
【符号の説明】
【００６９】
１…消しゴム部材
１ａ…薄肉部
１１…連設片
２…型枠容器
２１…容器本体
２２…型枠部
２２Ａ…可動枠
２２Ｂ…固定枠
２３…蓋部材
２７…係止具
２８…放熱フィン
２９…スリット
３…デザインシート
３１…枡目
４…スペーサ
Ｐ，Ｐ´…消しゴム成形品
Ｓ…中子
【図１】
2010131819.tif 000003
【図２】
2010131819.tif 000004
【図３】
2010131819.tif 000005
【図４】
2010131819.tif 000006
【図５】
2010131819.tif 000007
【図６】
2010131819.tif 000008
【図７】
2010131819.tif 000009
【図８】
2010131819.tif 000010
【図９】
2010131819.tif 000011
【図１０】
2010131819.tif 000012